(57)【要約】      （修正有）【課題】足元のファッション性を高め、晴天・雨天共に使用することができるアンサンブル履物を提供する。【解決手段】脚足Ｆに直接着用するための彩色模様を有する靴下１０と透明なブーツ１とによってアンサンブル履物を構成した。ブーツを透して爪先まで見えるようにしたので、靴下に様々な模様を採用することによって、今迄にない新しい足元のファッション分野を開拓することができ、またブーツに適当な凹凸模様を形成しておけば、それらの屈折作用等によって靴下の模様や色彩を微妙に変化させ、美的効果を高めることができる。【選択図】図６
0003169246.tif 000002
【実用新案登録請求の範囲】
【請求項１】
脚足に直接着装する彩色模様を設けた靴下と、この靴下を着用したまま履くことができる透明または半透明のブーツから成るアンサンブル履物。
【請求項２】
前記ブーツは胴部、足被い部、靴底部が同一樹脂で一体成形された請求項１に記載のアンサンブル履物。
【請求項３】
前記胴部、足被い部、靴底部のいずれか一以上に凹凸模様を設けた請求項２に記載のアンサンブル履物。
【請求項４】
前記胴部、足被い部、靴底部のいずれか一以上を透明な顔料で着色した請求項２または３に記載のアンサンブル履物。
【請求項５】
前記ブーツに部分的な不透明模様を設けた請求項１〜４のいずれかに記載のアンサンブル履物。
【考案の詳細な説明】
【技術分野】
【０００１】
この考案は、脚足に直接着装する靴下とその外側に履くブーツとのアンサンブル履物に関する。
【背景技術】
【０００２】
例えば特許文献１に開示されているように、短靴に被せて雨天に使用する透明なシューズカバーが知られている。これは直接装着した短靴等を雨水から保護するためのものであって、晴天ではかなり邪魔になることが考えられ、また装飾性を高める効果はほとんどない。
【０００３】
特許文献２には、胴部のみを透明にした長靴が開示されているが、靴の甲部や底部は不透明になっており、用途も必ずしも明確でない。
【０００４】
特許文献３には、透明なブーツの中に草履を一体化したブーツが開示されている。これも用途が限られており、構造も複雑になってコスト高になる問題がある。
【先行技術文献】
【特許文献】
【０００５】
【特許文献１】実公平４−３２９６６号公報
【特許文献２】実開平１−７７４０５号公報
【特許文献３】実用新案登録第３１４９００９号公報
【考案の概要】
【考案が解決しようとする課題】
【０００６】
そこでこの考案の課題は、靴と靴下とのアンサンブルによってファッション性を高め、雨天、晴天に拘らず使用できるようにすることである。
【課題を解決するための手段】
【０００７】
上記の課題を解決するために、この考案においては、脚足に直接着装する彩色模様を設けた靴下とそれを着用したまま履くことができる透明または半透明のブーツとのアンサンブルによって履物を構成したのである。
【０００８】
上記ブーツは、胴部、足被い部、靴底部が同一樹脂で一体成形されたものが好ましい。そしてこれらの部分全てが透明または半透明に形成されている。
【０００９】
前記胴部、足被い部、靴底部のいずれか一以上に適当な凹凸模様を設けておくことができる。さらに、これらの部分を透明な着色顔料で着色しておくこともできる。
【考案の効果】
【００１０】
この考案によれば、ブーツを透して爪先まで見えるようにしたので、靴下に様々な模様を採用することによって、今迄にない新しい足元のファッション分野を開拓することができ、またブーツに適当な凹凸模様を形成しておけば、それらの屈折作用等によって靴下の模様や色彩を微妙に変化させ、美的効果を高めることができる。
【００１１】
また、ブーツを一体成形すれば、コストを削減することができる。
【図面の簡単な説明】
【００１２】
【図１】透明なブーツを示す側面図
【図２】ブーツの靴底の内面を示す平面図
【図３】靴底の内面に装着するインソールを示す平面図
【図４】ブーツの胴部及び足被い部に凹凸模様を設けた一例を示す部分側面図
【図５】同上の他の例を示す部分側面図
【図６】アンサンブル履物の着装例を示す斜視図
【考案を実施するための形態】
【００１３】
以下、この考案の実施形態を添付図面に基づいて説明する。図１に示すように、ブーツ１は、履き口２ａを有する中空胴部２と、胴部２に連続する足被い部３と、靴底部４より成り、これら胴部２、足被い部３、靴底部４は柔軟性を有する透明な合成樹脂によって一体成形されている。勿論胴部２は、図示のような所謂ショートブーツに限らず、適当にその長さを選択することができる。
【００１４】
前記靴底部４の内面は、図２に示すように、ほぼ円形の多数の穴５が適当な分布で設けられている。この穴５はクッション性、通気性等を考慮して設けられたものであって、その径は略１５ｍｍ〜５ｍｍの範囲が好ましい。特に踵部とつま先部に密に分布させ、隣接する大径の穴の間隙を埋めるように中小径の穴を配置するのがよい。また、靴底部４の外面に適当な凹凸を形成しておくのが好ましい。これによってスリップを防止し、付着物による汚れを目だたなくすることができる。特に靴底部４の側面には不規則な細かい凹凸６、靴底部４の底面には比較的大きな溝を設けておくのがよい。
【００１５】
前記多数の穴５を設けた靴底部４の内面に、図３に示すようなインソール（敷皮）７を敷いておくのが好ましい。このインソール７は編布または織布と発泡樹脂の積層体より成り、靴底部４の内面に対応する形状を有し、足のつま先から土踏まずの中途部分にかけて多数の半球形突起７ａ（径が４〜５ｍｍ、高さ２〜３ｍｍ程度）が設けられ、土踏まずの後端部から踵部分の周辺には、足裏周辺の傾斜に対応するリッジ（ｒｉｄｇｅ）７ｂが設けられている。
【００１６】
前記ブーツ１の胴部２及び／又は足被い部３に任意の凹凸を形成することができる。例えば図４、図５に示すような波形模様を形成する凹凸８、９（溝や突条）のほか、格子縞模様や花模様などである。これによって後述する靴下と組合せて着装したとき、見る角度や歩行によるブーツ１の移動に応じて、靴下の模様が伸縮したり流動し、独特の美感を生じさせることができる。
【００１７】
また、ブーツ１を透明顔料によって着色してもよく、或はブーツ１に任意の模様を画くことができる。この模様は不透明であってもよいが、後述する靴下を着用したときに靴下が見える範囲に留めなければならない。
【００１８】
上記ブーツ１と組合せる靴下は、長短任意であるが、美麗な色彩模様のあるものを用いる。また、タイツであってもよい。
【００１９】
図６にこの考案のアンサンブル履物を着用した例を示す。図示のように、彩色模様を付した靴下１０を脚足Ｆに着用した後、透明なブーツ１を履くと、外部から靴下１０の彩色模様を観察することができ、足元のファッション性を高めることができる。
【符号の説明】
【００２０】
１  ブーツ
２  胴部
２ａ  履き口
３  足被い部
４  靴底部
５  穴
６  凹凸
７  インソール
７ａ  突起
７ｂ  リッジ
８、９  凹凸模様
１０  靴下
Ｆ  脚足
【図１】
0003169246.tif 000003
【図２】
0003169246.tif 000004
【図３】
0003169246.tif 000005
【図４】
0003169246.tif 000006
【図５】
0003169246.tif 000007
【図６】
0003169246.tif 000008